【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
コンタクトレンズに対して眼瞼に伴って移動するように構成される、１つまたはそれを上回る眼瞼係合構造を備える、コンタクトレンズ。
【請求項２】
制御デバイスをさらに備え、前記制御デバイスは、眼の眼瞼裂の開閉に応答して、前記遠近調整用コンタクトレンズの遠近調整量を制御するために、前記１つまたはそれを上回る眼瞼係合構造に結合される、請求項１に記載のコンタクトレンズ。
【請求項３】
前記１つまたはそれを上回る眼瞼係合構造は、アーム、レバー、またはウィングのうちの１つ以上を含む延在部を用いて、前記コンタクトレンズのリザーバに結合される、請求項１に記載のコンタクトレンズ。
【請求項４】
前記延在部は、眼瞼が閉鎖すると、てこの作用を前記眼瞼係合構造に提供し、前記眼瞼係合構造の移動に対する抵抗を減少させるようなサイズにされる、請求項３に記載のコンタクトレンズ。
【請求項５】
前記眼瞼係合構造は、前記眼瞼の一部を受容するような形状の表面を備え、前記延在部は、前記眼瞼の力によるてこの作用を前記リザーバに提供するために、前記リザーバと前記眼瞼係合構造との間に延在する、請求項３に記載のコンタクトレンズ。
【請求項６】
前記延在部は、前記リザーバを弾性的に変形させるために、前記リザーバに結合される、請求項３に記載のコンタクトレンズ。
【請求項７】
前記眼瞼係合構造は、レバー、ボール、突出部、スライダまたは支点のうちの１つ以上を用いて、前記コンタクトレンズに結合される、請求項１に記載のコンタクトレンズ。
【請求項８】
前記眼瞼係合構造は、前記コンタクトレンズに対する前記眼瞼係合構造の移動を可能にし、前記コンタクトレンズの並進を阻止するために、前記コンタクトレンズに結合される、請求項１に記載のコンタクトレンズ。
【請求項９】
前記眼瞼係合構造は、複数の場所において対向する眼瞼に係合する複数の構造を備える、請求項１に記載のコンタクトレンズ。
【請求項１０】
前記眼瞼係合構造は、前記眼の１つ以上の複数の点に係合するように構成される、請求項１に記載のコンタクトレンズ。
【請求項１１】
前記眼瞼係合構造は、前記レンズの移動を阻止するために、対向する場所において複数の眼瞼に係合するための複数の対向する構造を備える、請求項１に記載のコンタクトレンズ。
【請求項１２】
前記コンタクトレンズは、流体モジュールを備え、前記流体モジュールは、前記眼瞼係合構造と前記流体モジュールを結合するための結合構造を備え、前記結合構造は、前記モジュールの支持構造から前記眼瞼係合構造まで延在し、前記流体モジュールは、ソフトコンタクトレンズ材料内に埋め込まれる複数のアンカ構造を備える光学的に透過性の材料を含み、前記流体モジュールは、外側リザーバおよび内側光学リザーバを備え、前記流体モジュールは、前記ソフトコンタクトレンズ材料内への留置に先立って、前記リザーバおよび前記結合構造を備える自己支持モジュールを含む、請求項１に記載のコンタクトレンズ。
【請求項１３】
前記眼瞼係合構造は、第１の時間周波数応答特性を備え、前記流体モジュールは、第２の周波数応答特性を備え、第１の時間周波数応答特性は、前記眼瞼係合構造の移動が前記流体チャンバの移動より速いことを可能にするために、前記第２の周波数応答特性を上回る周波数を備える、請求項１２に記載のコンタクトレンズ。
【請求項１４】
前記コンタクトレンズは、前記眼瞼係合構造に結合され、前記眼瞼に伴う前記眼瞼係合構造の移動に応答して、流体を移動させるための流体チャンバを備える、請求項１に記載のコンタクトレンズ。
【請求項１５】
前記流体チャンバは、遠近調整用コンタクトレンズの流体または前記眼に送達されるべき処置用薬剤のうちの１つ以上を備える、請求項１４に記載のコンタクトレンズ。
【請求項１６】
前記眼瞼係合構造は、前記眼瞼が前記コンタクトレンズ本体上を移動するとき、前記眼瞼係合構造の移動を可能にするために、ボール構造、内巻き構造、Ｕ形状構造、または凹面構造のうちの１つ以上を用いて、前記眼瞼に結合される、請求項１に記載のコンタクトレンズ。
【請求項１７】
前記眼瞼係合構造は、遠近調整モジュールに結合され、前記遠近調整モジュールは、前記眼が、前記眼瞼係合構造の移動に伴って瞬きすることを可能にし、潤滑剤または栄養剤のうちの１つ以上を前記眼に提供するために、前記眼が瞬きするとき、前記モジュールの遠近調整を阻止するように構成される、請求項１に記載のコンタクトレンズ。
【請求項１８】
前記眼瞼係合構造は、前記眼瞼係合構造が前記コンタクトレンズに対して移動することに応答して、所定量の処置用薬剤を放出するために、処置用薬剤のリザーバに結合される、請求項１に記載のコンタクトレンズ。
【請求項１９】
装置を制御するために、眼瞼に伴って移動するように構成される１つまたはそれを上回る眼瞼係合構造を備える、制御デバイス。
【請求項２０】
前記１つまたはそれを上回る眼瞼係合構造は、前記眼瞼係合構造が、前記眼瞼が開閉すると、前記眼瞼に伴って移動することを可能にするために、偏向可能構造に弾性的に結合される、請求項１９に記載の制御デバイス。
【請求項２１】
前記制御デバイスは、機械的結合、機械的連結、有線接続、無線接続、電磁結合、光学結合のうちの１つ以上を用いて、装置に結合するように構成される、請求項１９に記載の制御デバイス。
【請求項２２】
前記装置は、遠近調整用眼鏡、コンタクトレンズ、スマートコンタクトレンズ、処置用薬物送達リザーバ、遠近調整用コンタクトレンズ、人工瞳孔、遠近調整用眼内レンズ、コンピュータインターフェース、または視覚的ディスプレイのうちの１つ以上を備える、請求項２１に記載の制御デバイス。
【手続補正２】
【補正対象書類名】明細書
【補正対象項目名】００１６
【補正方法】変更
【補正の内容】
【００１６】
代替として、または組み合わせて、コンタクトレンズは、眼瞼係合構造の移動に応答して、ある量の処置用薬剤を放出するために、眼瞼係合構造に結合される処置用薬剤のリザーバを備えてもよい。コンタクトレンズは、適切な量の処置用薬剤を提供するために、眼瞼係合構造の複数の内向きおよび外向きサイクルに応答してある量の処置用薬剤を放出する、放出機構を具備することができる。処置用薬剤は、人工涙または緑内障薬剤のうちの１つ以上等の多くの公知の処置用薬剤のうちの１つ以上を備えてもよい。
本発明は、例えば、以下を提供する。
（項目１）
コンタクトレンズに対して眼瞼に伴って移動するように構成される、１つまたはそれを上回る眼瞼係合構造を備える、コンタクトレンズ。
（項目２）
制御デバイスをさらに備え、前記制御デバイスは、眼の眼瞼裂の開閉に応答して、前記遠近調整用コンタクトレンズの遠近調整量を制御するために、前記１つまたはそれを上回る眼瞼係合構造に結合される、項目１に記載のコンタクトレンズ。
（項目３）
前記１つまたはそれを上回る眼瞼係合構造は、アーム、レバー、またはウィングのうちの１つ以上を含む延在部を用いて、前記コンタクトレンズのリザーバに結合される、項目１に記載のコンタクトレンズ。
（項目４）
前記延在部は、眼瞼が閉鎖すると、てこの作用を前記眼瞼係合構造に提供し、前記眼瞼係合構造の移動に対する抵抗を減少させるようなサイズにされる、項目３に記載のコンタクトレンズ。
（項目５）
前記眼瞼係合構造は、前記眼瞼の一部を受容するような形状の表面を備え、前記延在部は、前記眼瞼の力によるてこの作用を前記リザーバに提供するために、前記リザーバと前記眼瞼係合構造との間に延在する、項目３に記載のコンタクトレンズ。
（項目６）
前記延在部は、前記リザーバを弾性的に変形させるために、前記リザーバに結合される、項目３に記載のコンタクトレンズ。
（項目７）
前記眼瞼係合構造は、レバー、ボール、突出部、スライダまたは支点のうちの１つ以上を用いて、前記コンタクトレンズに結合される、項目１に記載のコンタクトレンズ。
（項目８）
前記眼瞼係合構造は、前記コンタクトレンズに対する前記眼瞼係合構造の移動を可能にし、前記コンタクトレンズの並進を阻止するために、前記コンタクトレンズに結合される、項目１に記載のコンタクトレンズ。
（項目９）
前記眼瞼係合構造は、複数の場所において対向する眼瞼に係合する複数の構造を備える、項目１に記載のコンタクトレンズ。
（項目１０）
前記眼瞼係合構造は、前記眼の１つ以上の複数の点に係合するように構成される、項目１に記載のコンタクトレンズ。
（項目１１）
前記眼瞼係合構造は、前記レンズの移動を阻止するために、対向する場所において複数の眼瞼に係合するための複数の対向する構造を備える、項目１に記載のコンタクトレンズ。
（項目１２）
前記コンタクトレンズは、流体モジュールを備え、前記流体モジュールは、前記眼瞼係合構造と前記流体モジュールを結合するための結合構造を備え、前記結合構造は、前記モジュールの支持構造から前記眼瞼係合構造まで延在し、前記流体モジュールは、ソフトコンタクトレンズ材料内に埋め込まれる複数のアンカ構造を備える光学的に透過性の材料を含み、前記流体モジュールは、外側リザーバおよび内側光学リザーバを備え、前記流体モジュールは、前記ソフトコンタクトレンズ材料内への留置に先立って、前記リザーバおよび前記結合構造を備える自己支持モジュールを含む、項目１に記載のコンタクトレンズ。
（項目１３）
前記眼瞼係合構造は、第１の時間周波数応答特性を備え、前記流体モジュールは、第２の周波数応答特性を備え、第１の時間周波数応答特性は、前記眼瞼係合構造の移動が前記流体チャンバの移動より速いことを可能にするために、前記第２の周波数応答特性を上回る周波数を備える、項目１２に記載のコンタクトレンズ。
（項目１４）
前記コンタクトレンズは、前記眼瞼係合構造に結合され、前記眼瞼に伴う前記眼瞼係合構造の移動に応答して、流体を移動させるための流体チャンバを備える、項目１に記載のコンタクトレンズ。
（項目１５）
前記流体チャンバは、遠近調整用コンタクトレンズの流体または前記眼に送達されるべき処置用薬剤のうちの１つ以上を備える、項目１４に記載のコンタクトレンズ。
（項目１６）
前記眼瞼係合構造は、前記眼瞼が前記コンタクトレンズ本体上を移動するとき、前記眼瞼係合構造の移動を可能にするために、ボール構造、内巻き構造、Ｕ形状構造、または凹面構造のうちの１つ以上を用いて、前記眼瞼に結合される、項目１に記載のコンタクトレンズ。
（項目１７）
前記眼瞼係合構造は、遠近調整モジュールに結合され、前記遠近調整モジュールは、前記眼が、前記眼瞼係合構造の移動に伴って瞬きすることを可能にし、潤滑剤または栄養剤のうちの１つ以上を前記眼に提供するために、前記眼が瞬きするとき、前記モジュールの遠近調整を阻止するように構成される、項目１に記載のコンタクトレンズ。
（項目１８）
前記眼瞼係合構造は、前記眼瞼係合構造が前記コンタクトレンズに対して移動することに応答して、所定量の処置用薬剤を放出するために、処置用薬剤のリザーバに結合される、項目１に記載のコンタクトレンズ。
（項目１９）
前記項目のいずれかに記載のコンタクトレンズを提供するステップを含む、眼瞼とコンタクトレンズを結合する方法。
（項目２０）
装置を制御するために、眼瞼に伴って移動するように構成される１つまたはそれを上回る眼瞼係合構造を備える、制御デバイス。
（項目２１）
前記１つまたはそれを上回る眼瞼係合構造は、前記眼瞼係合構造が、前記眼瞼が開閉すると、前記眼瞼に伴って移動することを可能にするために、偏向可能構造に弾性的に結合される、項目２０に記載の制御デバイス。
（項目２２）
前記制御デバイスは、機械的結合、機械的連結、有線接続、無線接続、電磁結合、光学結合のうちの１つ以上を用いて、装置に結合するように構成される、項目２０に記載の制御デバイス。
（項目２３）
前記装置は、遠近調整用眼鏡、コンタクトレンズ、スマートコンタクトレンズ、処置用薬物送達リザーバ、遠近調整用コンタクトレンズ、人工瞳孔、遠近調整用眼内レンズ、コンピュータインターフェース、または視覚的ディスプレイのうちの１つ以上を備える、項目２２に記載の制御デバイス。